(57)【特許請求の範囲】
【請求項１】
便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、
該給水弁制御手段は、リモコンから洗浄信号が与えられたときに便座が開であるときには小洗浄を実行する便器洗浄装置であって、
前記リモコンに洗浄スイッチとして、大洗浄信号を与えるための大洗浄スイッチと、小洗浄信号を与えるための小洗浄スイッチとが設けられており、
前記給水弁制御手段は、小洗浄を実行すべき条件下にあるときに大洗浄信号が与えられても小洗浄を実行し、大洗浄を実行すべき条件下にあるときに小洗浄信号が与えられても大洗浄を実行することを特徴とする便器洗浄装置。
【請求項２】
便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、
該給水弁制御手段は、リモコンから洗浄信号が与えられたときに便座が開であり且つ便器使用過程で着座がなされているときには大洗浄を実行することを特徴とする便器洗浄装置。
【請求項３】
便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、
該給水弁制御手段は、リモコンから洗浄信号が与えられたときに便座が開であり且つ便器使用過程で洗浄が２回目以降であるときには小洗浄を実行することを特徴とする便器洗浄装置。
【請求項４】
便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、
該給水弁制御手段は、リモコンから洗浄信号が与えられたときに、便座が閉であると共に離座状態であり、且つ便器使用過程で便座が開から閉とされていると共に便器使用過程で着座がなされていない場合には、小洗浄を実行することを特徴とする便器洗浄装置。
【請求項５】
便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、
該給水弁制御手段は、リモコンから洗浄信号が与えられたときに、便座が閉であり且つ便器使用に際し、着座と、その後の便座開と、さらにその後の便座閉とがなされていると共に、この便座閉の後に着座がなされていない場合には、大洗浄を実行することを特徴とする便器洗浄装置。
【請求項６】
請求項２ないし５のいずれか１項において、前記リモコンに洗浄スイッチとして、大洗浄信号を与えるための大洗浄スイッチと、小洗浄信号を与えるための小洗浄スイッチとが設けられており、
前記給水弁制御手段は、小洗浄を実行すべき条件下にあるときに大洗浄信号が与えられても小洗浄を実行し、大洗浄を実行すべき条件下にあるときに小洗浄信号が与えられても大洗浄を実行することを特徴とする便器洗浄装置。
【請求項７】
請求項２ないし５のいずれか１項において、前記リモコンに洗浄スイッチとして、大洗浄信号を与えるための大洗浄スイッチと、小洗浄信号を与えるための小洗浄スイッチとが設けられており、
前記給水弁制御手段は、リモコンからの大洗浄信号と小洗浄信号とに従った洗浄を行うスイッチ信号優先モードが選択可能となっていることを特徴とする便器洗浄装置。
【発明の詳細な説明】
【技術分野】
【０００１】
本発明は、便器に洗浄水を供給して便鉢等を洗浄するための便器洗浄装置に係り、特に洗浄スイッチを操作したときの便座の状態（開状態又は閉状態）に応じて大洗浄又は小洗浄を行うように構成した便器洗浄装置に関する。
【背景技術】
【０００２】
便器、特に洋風便器に洗浄水を供給して便鉢等の洗浄を行う場合、男子小用使用後には大洗浄（大便使用後の洗浄）に比べて少量の洗浄水を給水する小洗浄を行う。
【０００３】
便器洗浄を手動ハンドル操作にて行う場合には、大便使用と小便使用とに的確に応じた大洗浄、小洗浄が行われるが、リモコンのスイッチ操作によって洗浄を行う場合、小洗浄で足りるのに大洗浄を行ってしまって水が無駄になったり、大洗浄すべきであるのに小洗浄を行ってしまうことがある。
【０００４】
特開平１１−１６６２５８、特開２００２−１０６０２２には、便座に着座していた人体が便座から立ち上り（離座し）、その後立ち去った場合には、自動的に大洗浄を行うこと、便器前方に立った人体が着座することなく立ち去ったときには、自動的に小洗浄を行うことが記載されている。また、上記特開平１１−１６６２５８の００５９段落には、リモコンに大洗浄スイッチ及び小洗浄スイッチを設けておき、これらのスイッチが操作されたときにはその操作に応じた大洗浄又は小洗浄を優先的に行わせることが記載されている。
【先行技術文献】
【特許文献】
【０００５】
【特許文献１】特開平１１−１６６２５８
【特許文献２】特開２００２−１０６０２２
【発明の概要】
【発明が解決しようとする課題】
【０００６】
本発明は、リモコンの洗浄スイッチが操作されたときに、便器の状態に対応して的確な洗浄態様（大洗浄又は小洗浄）を行うよう構成された便器洗浄装置を提供することを目的とする。
【課題を解決するための手段】
【０００７】
請求項１の便器洗浄装置は、便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、該給水弁制御手段は、リモコンから洗浄信号が与えられたときに便座が開であるときには小洗浄を実行する便器洗浄装置であって、前記リモコンに洗浄スイッチとして、大洗浄信号を与えるための大洗浄スイッチと、小洗浄信号を与えるための小洗浄スイッチとが設けられており、前記給水弁制御手段は、小洗浄を実行すべき条件下にあるときに大洗浄信号が与えられても小洗浄を実行し、大洗浄を実行すべき条件下にあるときに小洗浄信号が与えられても大洗浄を実行することを特徴とするものである。
【０００８】
請求項２の便器洗浄装置は、便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、該給水弁制御手段は、リモコンから洗浄信号が与えられたときに便座が開であり且つ便器使用過程で着座がなされているときには大洗浄を実行することを特徴とするものである。
【０００９】
請求項３の便器洗浄装置は、便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、該給水弁制御手段は、リモコンから洗浄信号が与えられたときに便座が開であり且つ便器使用過程での洗浄が２回目以降であるときには小洗浄を実行することを特徴とするものである。
【００１０】
請求項４の便器洗浄装置は、便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、該給水弁制御手段は、リモコンから洗浄信号が与えられたときに、便座が閉であると共に離座状態であり、且つ便器使用過程で便座が開から閉とされていると共に便器使用過程で着座がなされていない場合には、小洗浄を実行することを特徴とするものである。
【００１１】
請求項５の便器洗浄装置は、便器と、該便器に洗浄水を供給する給水弁と、該給水弁を制御して大洗浄又は小洗浄を実行する給水弁制御手段と、該給水弁制御手段に対し洗浄信号を与えるための洗浄スイッチを有したリモコンとを備えた便器洗浄装置において、該給水弁制御手段は、リモコンから洗浄信号が与えられたときに、便座が閉であり且つ便器使用に際し、着座と、その後の便座開と、さらにその後の便座閉とがなされていると共に、この便座閉の後に着座がなされていない場合には、大洗浄を実行することを特徴とするものである。
【００１２】
請求項６の便器洗浄装置は、請求項２ないし５のいずれか１項において、前記リモコンに洗浄スイッチとして、大洗浄信号を与えるための大洗浄スイッチと、小洗浄信号を与えるための小洗浄スイッチとが設けられており、前記給水弁制御手段は、小洗浄を実行すべき条件下にあるときに大洗浄信号が与えられても小洗浄を実行し、大洗浄を実行すべき条件下にあるときに小洗浄信号が与えられても大洗浄を実行することを特徴とするものである。
【００１３】
請求項７の便器洗浄装置は、請求項２ないし５のいずれか１項において、前記リモコンに洗浄スイッチとして、大洗浄信号を与えるための大洗浄スイッチと、小洗浄信号を与えるための小洗浄スイッチとが設けられており、前記給水弁制御手段は、リモコンからの大洗浄信号と小洗浄信号とに従った洗浄を行うスイッチ信号優先モードが選択可能となっていることを特徴とするものである。
【発明の効果】
【００１４】
請求項１の便器洗浄装置にあっては、第８図（ａ）のように、リモコンから洗浄信号が与えられたときに便座が開であれば小洗浄を実行するので、大使用（大便等による使用）がなされていないにもかかわらず大洗浄を行うことが回避され、節水効果が得られる。この場合、第８図（ｂ）のように、リモコンから洗浄信号が与えられたときに便座が閉であれば大洗浄を実行するのが好ましい。
【００１５】
請求項２の便器洗浄装置にあっては、第９図のように、リモコンから洗浄信号が与えられたときに便座が開であっても、便器使用過程で着座がなされているときには大洗浄を実行するので、着座時に大使用がなされているにもかかわらず小洗浄してしまうことが防止される。
【００１６】
請求項３の便器洗浄装置にあっては、第１０図のように、リモコンから洗浄信号が与えられたときに便座が開であり、且つ便器使用過程での洗浄が２回目以降であれば小洗浄を実行するので、２回目以降の洗浄であるにもかかわらず大洗浄を行うことが回避され、節水効果が得られる。
【００１７】
請求項４の便器洗浄装置にあっては、リモコンから洗浄信号が与えられたときに便座が閉であっても、使用者が着座したことがなく、且つ便器使用過程で便座が開から閉とされている場合には小洗浄を実行するので、大使用がなされていないにもかかわらず大洗浄を行うことが回避され、節水効果が得られる。
【００１８】
請求項５の便器洗浄装置にあっては、第１２図のように、リモコンから洗浄信号が与えられたときに便座が閉であるだけでなくさらに便器使用過程で着座→便座開→便座閉のプロセスがある場合には、この便座閉の後に着座がなくても大洗浄を実行するので、洗浄信号を受けたときに単に便座閉であるだけで大洗浄を行ってしまう場合に比べて、節水効果が高いものとなる。また、便座閉の後に着座がなくても、以前に着座がなされているので、大洗浄により洗浄不足が回避される。
【００１９】
請求項６の便器洗浄装置にあっては、小洗浄すべき場合であるのにリモコンで大洗浄スイッチを操作しても小洗浄を実行するので、無用に大洗浄を行うことが回避され、節水効果が得られる。また、大洗浄すべきときにリモコンで小洗浄スイッチを操作しても大洗浄を行うので、洗浄不足が回避される。
【００２０】
請求項７の便器洗浄装置によれば、上記の便座の開閉等の状況に応じた自動的な大小洗浄切り替えモードを行うだけでなく、リモコンの洗浄スイッチ操作に優先的に従ったモードも実行可能であるので、使用者の都合、希望に合わせたモード設定を行うことができる。
【図面の簡単な説明】
【００２１】
【図１】実施の形態に係る便器洗浄装置を備えたトイレ設備の概要図である。
【図２】実施の形態に係る便器洗浄装置の制御ブロック図である。
【図３】実施の形態に係る便器洗浄装置の動作を示すフローチャートである。
【図４】実施の形態に係る便器洗浄装置の動作を示すフローチャートである。
【図５】実施の形態に係る便器洗浄装置の動作を示すフローチャートである。
【図６】実施の形態に係る便器洗浄装置の動作を示すフローチャートである。
【図７】実施の形態に係る便器洗浄装置の動作を示すフローチャートである。
【図８】便器の使用状況と大小洗浄との関係を示す説明図である。
【図９】便器の使用状況と大小洗浄との関係を示す説明図である。
【図１０】便器の使用状況と大小洗浄との関係を示す説明図である。
【図１１】便器の使用状況と大小洗浄との関係を示す説明図である。
【図１２】便器の使用状況と大小洗浄との関係を示す説明図である。
【発明を実施するための形態】
【００２２】
以下、図面を参照して実施の形態について説明する。第１図は実施の形態に係る便器洗浄装置を備えたトイレルーム内の側面図、第２図は制御ブロック図である。
【００２３】
洋風便器１の後部上面に便座ボックス２が設置されている。この便座ボックス２に便座３及び便蓋４が起倒方向回動可能に取り付けられている。便座ボックス２内には、この便座３の起倒駆動用の便座駆動装置５と便蓋４の起倒駆動用の便蓋駆動装置６とが設けられている。これらの駆動装置５，６はモータ及びギヤよりなる。便座ボックス２には便座３への着座を検知する着座センサ７と、洋風便器１に近づいた人体を検知する人体検知センサ８とが設けられている。便座ボックス２内には、この駆動装置５，６の駆動を制御するための制御ユニット（図示略）が設けられている。便座ボックス２内又は洋風便器１の後部には、便器洗浄弁１１と、この便器洗浄弁１１の制御装置１２（第２図）が設けられている。便座ボックス２には、後述のリモコン２０からの赤外線信号光を受信するための信号光受信器１０が設けられている。
【００２４】
第２図の通り、センサ７，８及び信号光受信器１０からの信号は制御装置１２に入力される。また、便座駆動装置５及び便蓋駆動装置６にそれぞれ設けられたリミットスイッチ（図示略）からは、便座３及び便蓋４の倒伏状態（閉）及び起立状態（開）を示す信号が制御装置１２に入力される。制御装置１２には、着座メモリ１３、人体メモリ１４、便座メモリ１５、洗浄メモリ１６が設けられている。
【００２５】
図示は省略するが、便座ボックス２には、便座３に着座した人体の臀部に向って温水を噴出する温水洗浄ノズル及び該臀部に向って温風を吹き出す温風乾燥ファン等が設けられている。
【００２６】
この洋風便器１の側方のトイレルーム壁面にリモコン２０が設置されている。このリモコン２０には、洋風便器１の便鉢に多量の水を流す大洗浄用スイッチ２１と、便鉢に少量の水を流す小洗浄用スイッチ２２とが設けられている。また、このリモコン２０には、便蓋開閉スイッチ、便座開閉スイッチや、肛門洗浄用操作スイッチ（シャワースイッチ）、ビデ洗浄用操作スイッチ、温風を吹き出させるドライスイッチ、肛門洗浄（シャワー洗浄）、ビデ洗浄、温風乾燥等の作動をストップさせるストップスイッチなどが設置されている。
【００２７】
リモコン２０内には、前記各スイッチの操作信号を赤外線として便座ボックス２に向けて発信する発信回路が設置されている。
【００２８】
なお、大洗浄時の水量は５〜１０Ｌ程度が好適であり、小洗浄時の水量はそれよりも少ない４〜８Ｌ程度が好適である。
【００２９】
次に、第３図〜第７図及び第８図〜第１２図を参照して便器洗浄制御例について説明する。
【００３０】
＜第３図及び第８図（ａ），（ｂ）のフロー＞
第３図及び第８図（ａ），（ｂ）は請求項１の実施の形態に係るフローである。
【００３１】
リモコン２０の大洗浄スイッチ２１、小洗浄スイッチ２２のいずれかが操作され、洗浄信号が受信回路１０を介して制御装置１２に入力されると、ステップ３１からステップ３２に進み、その時点で便座３が開となっているか閉となっているか判断し、開となっているときには男子小使用後の洗浄であるとみなして小洗浄し（ステップ３４）、閉であるときにはその他の大使用等の場合の洗浄であるとみなして大洗浄を行う（ステップ３３）。
【００３２】
これにより、的確に大洗浄又は小洗浄が行われ節水効果が得られる。なお、この実施の形態では、便座開時に大洗浄スイッチ２１を操作しても小洗浄がなされるので、確実に節水効果が得られる。また、便座閉時に小洗浄スイッチ２２を操作しても大洗浄がなされるので、確実に洗浄不足が防止される。
【００３３】
＜第４図及び第９図のフロー＞
第４図及び第９図は請求項２の実施の形態に係るフローである。
【００３４】
トイレルームに入室してきた人体がセンサなど検知されると、着座メモリ１３に０（着座したことがない）を設定する（ステップ４０，４１）。
【００３５】
リモコン２０のスイッチ２１，２２が操作されるまでは、ステップ４２，４３，４６を循環する。ステップ４３では、便座３への着座の有無に応じて着座メモリ１３に０（着座したことがない）又は１（着座したことがある）を設定する。
【００３６】
リモコン２０の洗浄スイッチ２１又は２２の操作に伴って大洗浄信号又は小洗浄信号が入力されると、ステップ４４に進み、便座３の開又は閉を判断し、閉であればステップ４５に進んで大洗浄を実行し、ステップ４６へ進む。一方、ステップ４４において便座３が開である場合ステップ４７に進み、そのときに着座メモリ＝１（着座したことあり。）であればステップ４５に進み大洗浄する。そうでないとき（着座したことがない場合）には、ステップ４８に進み、小洗浄を行った後、ステップ４６に進む。
【００３７】
人体が立ち去る（人体検知センサ８が人体を検知しなくなる）までは上記の動作を繰り返す。人体が立ち去った場合は、ステップ４９に進み、着座メモリ１３をクリアして終了する。
【００３８】
このフローでは、第９図の通り、洗浄スイッチ２１又は２２が操作されたときに、便座３が開であっても、今回の便器使用過程で（即ち、この使用者がトイレルームに入ってきてから）着座したことがあるときには、大洗浄を行う。
【００３９】
従って、トイレルームに入ってきた人が大使用等のために便座３に着座し、その後離座し、便器の飛散滓の拭き取り等のために便座３を開とし、この状態で洗浄スイッチ２１又は２２を操作した場合には大洗浄が行われる。このように、洗浄スイッチ操作時に便座３が開であっても、便器使用過程で着座があったために大洗浄すべきであるときには、必ず大洗浄が行われるので、洗浄不足が防止される。
【００４０】
なお、この実施の形態でも、便器使用過程で着座がなかった場合には、洗浄信号入力時に便座開であれば小洗浄が行われるので、無用な大洗浄の防止による節水効果が得られる。
【００４１】
＜第５図及び第１０図のフロー＞
第５図及び第１０図は請求項３の実施の形態に係るフローである。
【００４２】
トイレルームに入室してきた人体が人体検知センサ８で検知されると、洗浄メモリ１６に０（洗浄回数ゼロ）を設定する（ステップ５１，５２）。
【００４３】
リモコン２０のスイッチ２１，２２が操作されるまでは、ステップ５３，５８を循環する。
【００４４】
リモコン２０の洗浄スイッチ２１又は２２の操作に伴って大洗浄信号又は小洗浄信号が入力されると、ステップ５４に進み、便座３の開又は閉を判断し、閉であればステップ５５に移り、大洗浄を実行し、次いで洗浄メモリ１６に１（今回の便器使用過程で便器洗浄したことを示す値）を設定し（ステップ５５ａ）、ステップ５８へ進む。一方、ステップ５４において便座３が開である場合ステップ５６に進み、そのときに洗浄メモリ＝０（便器洗浄未実施）であればステップ５５に進み大洗浄する。そうでないとき（すでに大洗浄したことがある場合）には、ステップ５７に進み、小洗浄を行った後、ステップ５８に進む。
【００４５】
人体が立ち去る（人体検知センサ８が人体を検知しなくなる）までは上記の動作を繰り返す。人体が立ち去った場合は、ステップ５９に進み、洗浄メモリ１６をクリアして終了する。
【００４６】
このフローでは、第１０図の通り、洗浄スイッチ２１又は２２が操作されたときに、便座３が開であっても、今回の便器使用過程で（即ち、この使用者がトイレルームに入ってきてから）便器洗浄したことがないときには、大洗浄を行い、便器洗浄したことがあるときには小洗浄を行う。
【００４７】
このように、２回目以降の洗浄を小洗浄とすることにより、無用な大洗浄の防止による節水効果が得られる。なお、この実施の形態では便座開時の第１回目の洗浄を大洗浄としているが、小洗浄としてもよい。
【００４８】
＜第６図及び第１１図のフロー＞
第６図及び第１１図は請求項４の実施の形態に係るフローである。
【００４９】
トイレルームに入室してきた人体が人体検知センサ８で検知されると、着座メモリ１３に０（着座したことがない）を設定すると共に便座メモリ１５に初期値として「２」を設定する（ステップ６０，６１）。
【００５０】
リモコン２０のスイッチ２１，２２が操作されるまでは、ステップ６２，６３，６８を循環する。ステップ６３では、便座メモリ１５に便座の状態に応じて次のようにデータを設定する。即ち、前回の判断から今回の判断の間に便座が開から閉になったときには、１を設定し、開のままならば２を設定し、閉のままであるならば３を設定する。また、このステップ６３では、便座３への着座の有無に応じて着座メモリ１３に０（着座したことがない）又は１（着座したことがある）を設定する。
【００５１】
リモコン２０の洗浄スイッチ２１又は２２の操作に伴って大洗浄信号又は小洗浄信号が入力されると、ステップ６４に進み、便座メモリ１５の設定値を判断し、「３」であればステップ６５に進んで大洗浄を実行し、ステップ６８に進む。「２」の場合にはステップ６７に進み、小洗浄した後、ステップ６８に進む。
【００５２】
ステップ６４において便座メモリが「１」の場合はステップ６６に進む。そして、このときに着座メモリ＝１（着座したことあり。）であればステップ６５に進み大洗浄する。そうでないとき（着座したことがない場合）には、ステップ６７に進み、小洗浄を行った後、ステップ６８に進む。
【００５３】
人体が立ち去る（人体検知センサ８が人体を検知しなくなる）までは上記の動作を繰り返す。人体が立ち去った場合は、ステップ６９に進み、便座メモリ１５及び着座メモリ１３をクリアして終了する。
【００５４】
このフローでは、第１１図の通り、洗浄スイッチ２１又は２２が操作されたときに、便座３が閉であっても、今回の便器使用過程で（即ち、この使用者がトイレルームに入ってきてから）着座したことがないときには、小洗浄を行う。
【００５５】
従って、トイレルームに入ってきた人が小使用等のために便座３を開とし、その後、便座３を閉とし、この状態で洗浄スイッチ２１又は２２を操作した場合には小洗浄が行われる。このように、洗浄スイッチ操作時に便座３が閉であっても、便器使用過程で着座がなく、小洗浄すべきであるときには、必ず小洗浄が行われるので、無用な大洗浄の防止による節水効果が得られる。
【００５６】
＜第７図及び第１２図のフロー＞
第７図及び第１２図は請求項５のフローを示している。
【００５７】
このフローは、第１２図に示すように、第１１図のフローにおける最初の便座開の状態（第１２図のＢ）よりも前の状態として「便座を閉とし、着座して（大使用などを行って）おり、しかもその後、便器洗浄することなく便座を開とした」状況Ａを想定したものである。なお、この第１２図の状況Ａ〜Ｃは、例えば「大便を行った使用者が、便座から起立し、便座を立て、ペーパー等で飛散物を拭き取り、このペーパーを便器に捨て、次いで便座を倒し、洗浄スイッチを操作した」状況を想定したものである。
【００５８】
この第１２図では、Ｂ〜Ｃの間で着座がないが、Ｂ以前のＡ状態時に着座（大使用）があり、且つ便器がまだ洗浄されていないので、大洗浄する必要がある。
【００５９】
そのためのプログラムを示す第７図が第６図と異なるのは、ステップ６１においてさらに「洗浄メモリ＝０」を設定する点、大洗浄（ステップ６５）後に「洗浄メモリ＝１」を設定するステップ６５ａを設けたこと、ステップ６４において便座メモリ＝２のときにステップ６４から一旦ステップ６４ａに移り、「着座メモリ＝１且つ洗浄メモリ＝０」であるかを判断するステップ６４ａを設けた点、ステップ６９で洗浄メモリもクリアするようにした点であり、その他は第６図と同じである。
【００６０】
この第７図では、ステップ６４で便座メモリ＝２すなわち便座が開のときには、ステップ６４ａに移り、着座メモリ＝１且つ洗浄メモリ＝０であるか判断する。第１２図のＡのように便器使用過程で着座がなされており、且つ洗浄がまだ行われていない場合、「着座メモリ＝１，洗浄メモリ＝０」である。そこで、ステップ６４ａからステップ６５に移り、大洗浄を行う。
【００６１】
第１２図のＢ以前の状態で着座がなかったり、又は大洗浄が行われているときには、この条件を満たさないので、ステップ６４ａからステップ６７に移り、小洗浄を行う。
【００６２】
上記第３図〜第７図のフローは、いずれも洗浄スイッチ２１又は２２を操作したときの便座３の開又は閉状態等の条件に従って大洗浄又は小洗浄を自動的に適切に区別して実行するものであるが、本発明では、このような大小の洗浄の自動的な区別を行わず、大洗浄スイッチ２１が操作されたときには必ず大洗浄を実行し、小洗浄スイッチ２２が操作されたときには必ず小洗浄を実行するリモコンスイッチ優先モードを設定できるようにしてもよい。
【００６３】
このようなリモコンスイッチ信号優先モードは、例えばリモコン２０の複数のスイッチを長押しすると設定され、別の複数のスイッチを長押しすると解除されるように構成されてもよい。
【符号の説明】
【００６４】
１  洋風便器
２  便座ボックス
３  便座
４  便蓋
１２  制御装置
２０  リモコン
２１  大用便器洗浄スイッチ
２２  小用便器洗浄スイッチ
【図１】
0005593723.tif 000002
【図２】
0005593723.tif 000003
【図３】
0005593723.tif 000004
【図４】
0005593723.tif 000005
【図５】
0005593723.tif 000006
【図６】
0005593723.tif 000007
【図７】
0005593723.tif 000008
【図８】
0005593723.tif 000009
【図９】
0005593723.tif 000010
【図１０】
0005593723.tif 000011
【図１１】
0005593723.tif 000012
【図１２】
0005593723.tif 000013